(57)【要約】【課題】手動で設定した撮影条件下においてもシャッタチャンスを逃させずに、かつ撮影の失敗を低減させた撮影装置を提供することを目的とするものである。【解決手段】  手動撮影モードで撮影者が撮影条件を設定し、撮影を行なったときに、その設定した撮影条件が適正であるかどうかを撮影良否判定部で判定し、その判定に基づいて撮影後に不適正な撮影条件であった場合には不良撮影警告部により警告を発する。さらに、この警告に撮影者が応じた場合には、撮影条件変更部によって撮影条件を適正なものに変更して撮影者が撮影のやり直しを行なえるようにする。また、再生時に再生画像とともに警告を表示し、その警告にしたがって、画像データの消去を行なえるようにもする。【選択図】      図４
2005109607.tif 000002
【特許請求の範囲】
【請求項１】
撮影操作に応じて被写体像を捉えて画像データを生成する撮影装置において、
自動的に調整された撮影条件下で撮影を行なう自動撮影モードと、撮影条件のうちの少なくとも１つを手動設定し手動設定された撮影条件下で撮影を行なう手動撮影モードとを有し、
手動撮影モード下における撮影により得られた画像データに基づいて今回の撮影が適正な撮影条件下で撮影が行なわれたか否かを判定する撮影良否判定部と、
前記撮影良否判定部による、今回の撮影が不適正な撮影条件下で撮影が行なわれた旨の判定を受けて、不適正な撮影条件下で撮影が行なわれた旨警告する不良撮影警告部とを備えたことを特徴とする撮影装置。
【請求項２】
前記撮影良否判定部による、今回の撮影が不適正な撮影条件下で撮影が行なわれた判定を受けて、次の撮影操作に応じて、不適正な撮影条件のうちの少なくとも１つの撮影条件が適正な撮影条件に変更された撮影条件下で撮影が行なわれるように、該少なくとも１つの撮影条件を変更する撮影条件変更部を備えたことを特徴とする請求項１記載の撮影装置。
【請求項３】
前記不良撮影警告部は、不適正な撮影条件下で撮影が行なわれた旨警告するとともに、該警告を今回の撮影により得られた画像データに対応づけて記憶するものであって、
撮影済の画像データに基づく画像を表示する画像表示部を備え、該画像表示部は、前記警告が対応づけられた画像データに基づく画像を表示するにあたり、該警告を該画像とともに表示するものであることを特徴とする請求項１記載の撮影装置。
【発明の詳細な説明】
【技術分野】
【０００１】
本発明は、撮影操作に応じて被写体像を捉えて画像データを生成する撮影装置に関する。
【背景技術】
【０００２】
撮影装置の一つであるデジタルカメラには自動撮影モードとマニュアル撮影モードを備えたものがある。自動撮影モードに設定すれば、カメラ側で最適な露出調整やピント調整等が行なわれ撮影条件を整えて撮影が行なわれる。ユーザの中には、撮影を行なうときに、自ら露出調整、ピント調整を行なって撮影を行ないたいと思う人もいる。そういう人達はマニュアル撮影モードに切り替えてから撮影を行なっている。
【０００３】
このマニュアル撮影モードで撮影を行なう人達は、絞りを絞って背景を入れる工夫をしたり、逆に絞りを開いて被写体中心に撮影を行なったりする。またフラッシュを強制的にオフして絞りを開放し、さらに長秒時露光を行なって、夜景を撮影したりする人もいる。こういった人達の中には、撮影条件の設定をうまく行なえずに撮影した後、写真を見て撮影の失敗に気づく人もいる。このような失敗を低減するため、撮影前に画像評価を行なうことが考えられる。撮影装置ではないが、このような画像の評価を行なうものには、写真製版で現像を行なう前に現像される写真の画像評価を行なうものや超音波診断装置を設計するにあたり、その超音波診断装置の設計パラメータに基づいて診断画像の評価を行なうものがある（特許文献１、２参照）。
【０００４】
しかし、このような画像評価技術をカメラに適用し、撮影前に撮影される画像の評価を行なって、表示画面あるいはファインダ内にその評価を表示するような撮影のアシストをカメラに行なわせると、ファインダや表示画面に表示された評価に気をとられてシャッタチャンスを逸してしまうことが懸念される。また、熟練した撮影者にあってはその評価が邪魔になり、シャッタチャンスを逃してしまうということも考えられる。
【０００５】
ところで、撮影条件を検索項目としてその撮影条件で撮影された既撮影画像の検索を行なえるデジタルカメラもある。このようなデジタルカメラを用い、手動撮影モードで撮影を行なうときに、以前撮影した撮影条件を参考にすることができると、撮影の失敗が減る（例えば特許文献３参照）。
【０００６】
しかし、撮影条件の検索を行なって失敗しないように撮影を行なおうとするがあまり、シャッタチャンスを逃してしまうことが考えられる。
【特許文献１】特開平５−２４５１３６号公報
【特許文献２】特開２００１−１８３８４６号公報
【特許文献３】特開平１１−２１５４５１号公報
【発明の開示】
【発明が解決しようとする課題】
【０００７】
本発明は上記問題点を解決し、手動で設定した撮影条件下においてもシャッタチャンスを逃させずに、かつ撮影の失敗を低減させた撮影装置を提供することを目的とするものである。
【課題を解決するための手段】
【０００８】
上記課題を達成する本発明の撮影装置は、撮影操作に応じて被写体像を捉えて画像データを生成する撮影装置において、
自動的に調整された撮影条件下で撮影を行なう自動撮影モードと、撮影条件のうちの少なくとも１つを手動設定し手動設定された撮影条件下で撮影を行なう手動撮影モードとを有し、
手動撮影モード下における撮影により得られた画像データに基づいて今回の撮影が適正な撮影条件下で撮影が行なわれたか否かを判定する撮影良否判定部と、
上記撮影良否判定部による、今回の撮影が不適正な撮影条件下で撮影が行なわれた旨の判定を受けて、不適正な撮影条件下で撮影が行なわれた旨警告する不良撮影警告部とを備えたことを特徴とする。
【０００９】
上記本発明の撮影装置によれば、上記撮影良否判定部により今回の撮影が適正な撮影条件下で撮影が行なわれたか否かが判定され、否と判定された場合には、上記不良撮影警告部により不適正な撮影条件下で撮影が行なわれた旨警告される。この撮影装置では撮影が行なわれた後、撮影条件が不適正であることが撮影者に警告として伝えられるので、シャッタチャンスを逃すといったことは起こらない。銀塩カメラにおいてはフィルムの無駄遣いとなるが、上記撮影装置においては、記録メディアに画像データが記録されるため消去可能であるので、失敗撮影であった場合には、後でその失敗撮影の画像データを消去すれば良い。
【００１０】
ここで、上記撮影良否判定部による、今回の撮影が不適正な撮影条件下で撮影が行なわれた判定を受けて、次の撮影操作に応じて、不適正な撮影条件のうちの少なくとも１つの撮影条件が適正な撮影条件に変更された撮影条件下で撮影が行なわれるようにその少なくとも１つの撮影条件を変更する撮影条件変更部とを備えていることが好ましい。
【００１１】
そうすると、同じような撮影シーンの撮影のときには、撮影のやり直しをすぐに行なえる。
【００１２】
また、上記不良警告部は、不適正な撮影条件下で撮影が行なわれた旨警告するとともに、その警告を今回の撮影により得られた画像データに対応づけて記憶するものであって、
撮影済の画像データに基づく画像を表示する画像表示部を備え、その画像表示部は、上記警告が対応づけられた画像データに基づく画像を表示するにあたり、その警告をその画像とともに表示するものであることが好ましい。
【００１３】
このように画像表示部に警告が対応づけられた画像データに基づく画像が表示されると、撮影者は警告に応じてその画像を消去することも、警告を無視してその画像をそのまま残しておくこともできる。また、警告を見て、その警告を参考にして撮影条件の設定を自ら変更して自分にとってさらに完成度の高い写真を得ることもでき、撮影者にとってはこの警告が良い助言になり、同じような撮影を行なうときにはこの警告が撮影者にとっては撮影の良いアシストになる。
【発明の効果】
【００１４】
上記本発明の撮影装置によれば、手動で設定した撮影条件下においてもシャッタチャンスを逃させずに、かつ撮影の失敗を低減させた撮影装置が実現される。
【発明を実施するための最良の形態】
【００１５】
以下図面を参照して本発明の実施の形態を説明する。
【００１６】
図１は本発明の実施形態である撮影装置の一つにあたるデジタルカメラの外観図である。図１（ａ）は正面図、（ｂ）は上面図、（ｃ）は側面図、（ｄ）は背面図である。
【００１７】
図１（ａ）〜（ｃ）に示すレンズ１０１からデジタルカメラ１００内部に配備されている固体撮像素子まで被写体の像が導かれるようになっている。
【００１８】
このデジタルカメラで自在に撮影を行なわせるため、図１（ｄ）に示すように本実施形態のデジタルカメラの背面にはこのデジタルカメラを作動させるための電源投入用のパワースイッチ１０２、撮影モードと再生モードとを切替自在にする撮影モード・再生モード切替レバー１０３、モードダイヤル１０７、ポップアップスイッチ１０９などが設けられている。それらスイッチ類の中のモードダイヤル１０７で設定されるモードの中には、手動撮影モード（Ｍ）１０７１、静止画撮影モード１０７２、自動撮影モード（ＡＵＴＯ）１０７３、シーンポジションモード（ＳＰ）１０７５、動画撮影モードなどがあり、撮影・再生モード切替レバー１０３により撮影側が選択され、さらにモードダイヤル１０７によっていずれかのモードが設定され、このデジタルカメラ１００の上方にあるレリーズ釦１０８が操作されると撮影の開始指示がカメラ内部の信号処理部へと伝えられ、それらのモードに応じた撮影処理がデジタルカメラ１００内部で行なわれる。モードダイヤル１０７によって自動撮影モード（ＡＵＴＯ）が選択されると、自動的に調整された撮影条件下で撮影が行なわれ、手動撮影モード（Ｍ）が選択されると、撮影条件のうちの少なくとも１つを手動設定し手動設定された撮影条件下で撮影が行なわれる。また、静止画撮影モードが選択されると、静止画像撮影に適した撮影条件下で、また動画撮影モードが選択されると、動画像撮影に適した撮影条件下で、さらにシーンポジションモードが選択されると、撮影シーンに応じた撮影条件下で撮影が行なわれる。
【００１９】
また、夜間撮影を行なうときにはポップアップスイッチ１０９を操作すればフラッシュ１０９ａがポップアップされ、フラッシュが焚かれて撮影が行なわれる。なお、このポップアップフラッシュ１０９ａがポップアップされなければフラッシュオフになる。
【００２０】
また、撮影・再生切替レバー１０３が撮影側に切り替えられたときにスルー画像を表示するとともに、各スイッチの操作状況などを撮影者に示すためのＬＣＤパネル１０６ａが設けられている。このＬＣＤパネル１０６ａをファインダとして使用しフレーミングを行なうことも、図１（ａ）に示すように直視型のファインダ１００１を使用してフレーミングを行なうこともできる。
【００２１】
そのＬＣＤパネル１０６ａの右斜め上方には操作キーとして十字キー１０４が設けられており、ＬＣＤパネル上にメニュー画面などが表示された場合には、その十字キー１０４のＵＰキー１０４ａ、ＤＯＷＮキー１０４ｂ、右キー１０４ｃ、左キー１０４ｄの４つのキーを操作することによってメニューの選択を行なえる。また、その十字キー１０４の左横には、そのメニューをＬＣＤパネル上に表示させるためのメニュー釦１０５ａと、そのメニュー釦１０５ａの操作によりメニューが表示され、十字キー１０４のいずれかのキーによりＬＣＤ画面１０６ａに表示されたメニュー画面の中の多数の選択項目のうちいずれかの項目が選択されたときに、その選択をキャンセルするために操作されるバック釦１０５ｂが備えられている。このＯＫ釦１０５ａとバック釦１０５ｂとは、画像が表示されたときにはズームスイッチとして働く。
【００２２】
また撮影モード・再生モード切替レバー１０５が再生モード側に切り替えられると、記録メディアに記録されている画像データのいずれかが読み出されてその画像データに基づく画像がＬＣＤパネル１０６ａに表示される。
【００２３】
図２はデジタルカメラ１００の内部構成を示す図である。
【００２４】
このデジタルカメラ１００の動作は統括的にＣＰＵ１１１により制御される。このＣＰＵ１１１内にはＲＯＭ１１１０が内蔵されており、その内蔵されたＲＯＭ１１１０内にプログラムが格納されている。このプログラムの手順にしたがってデジタルカメラ１００全体の動作がＣＰＵ１１１により制御される。またＳＤＲＡＭ１２１にはＲＯＭ１１１０に記述されているプログラムの手順にしたがってＣＰＵ１１１がこのカメラ全体を制御しているときに、処理中の画像データが一時格納されたりする。また、ＣＰＵにはレジスタが配備されており、後述する各プロセスの処理経過報告例えばどのフェーズまで処理を終えたであるとか、処理結果例えば成功であるとか失敗であるとかがフラグとして書き込まれる。このプロセスの状態フラグを見てＣＰＵは統括的にカメラ全体の動作を制御する。
【００２５】
また、表示用のバッファとしてＶＲＡＭ１２３も設けられており、このＶＲＡＭ１２３にはスルー画像を表わす画像データがＡ領域、Ｂ領域に順次記憶され、それらの領域にある画像データが交互にＬＣＤ１０６に供給され画像データに基づく画像が順次切り換えられてスルー画像としてＬＣＤパネル１０６ａ上に表示される。
【００２６】
まずモードダイヤルが自動撮影モード（ＡＵＴＯ）に切り替えられて撮影が行なわれた場合の画像データの流れを、図２を参照して説明する。
【００２７】
モードダイヤルが自動撮影モード（ＡＵＴＯ）に切り替えられたら、ＣＰＵ１１１は撮影光学系の中の撮影レンズで被写体を固体撮像素子（ここではＣＣＤ固体撮像素子、以下ＣＣＤという）に結像させ、ＣＣＤ１１０で生成される画像データを所定の間隔ごとにＣＤＳＡＭＰ１１３側へ出力させ、画像信号処理部で表示可能な画像データに変換してスルー画像を表示画面に表示させる。そのスルー画像に基づいて任意にフレーミングが行なわれるので、ＡＦ検出部１３０が絶えずフォーカスレンズ１１６を前後させ合焦点検出を行なってフレーミングの中央に焦点のあった画像をＣＣＤ１１０に結像させている。このときにはＡＥ＆ＡＷＢ検出部１３１によって被写界輝度が検出され、その検出結果に基づいてモータドライバ１３３により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１２からのタイミング信号に応じて所定の間隔ごとにＣＤＳＡＭＰ１１３へ出力させ、後段でスルー画像を得ている。撮影者はこのスルー画像を見ながらフレーミングを行い、シャッタチャンスにレリーズ操作を行なう。
【００２８】
レリーズ操作が行なわれたら、ＣＰＵ１１１は、ＣＣＤ１１０にレリーズ操作時の画像を結像させるため、タイミングジェネレータ１１２からタイミング信号を供給させる。このタイミング信号はＣＣＤ１１０に露光開始および露光終了を告げるものでありいわゆるシャッタスピードに相当する。ＣＰＵ１１１はこの露光終了時にＣＣＤ１１０から画像データ（ＲＧＢの光の３原色Ｒ，Ｇ、Ｂからなる）を出力させ、後段のＣＤＳＡＭＰ１１３に供給させる。そうしたらＣＤＳＡＭＰ１１３でそのＣＣＤ１１０から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像データ入力コントローラ１１９によりバスを介してＳＤＲＡＭ１２１に供給され、このＳＤＲＡＭ１２１にＣＣＤ１１０のすべての画素の画像データが記憶される。すべての画素データに対応する画像データがＳＤＲＡＭ１２１に記憶されたら、ＣＰＵ１１１が画像信号処理部１２２の画像処理プロセスを起動させ、その画像処理プロセスによってＳＤＲＡＭ１２１の画像データを読み出させ、ＹＣ信号への変換を行なわせる。さらにこの画像処理部１２２の画像処理プロセスが終了したことをＣＰＵ１１１が検知したら、ＣＰＵ１１１は圧縮処理部１２４のＪＰＥＧプロセスを起動させ、ＪＰＥＧプロセスによって画像データの圧縮を行なわせる。この圧縮処理部１２４での圧縮が完了したことをＣＰＵ１１１が検知したら、次に記録処理プロセスを起動させ、ＪＰＥＧ圧縮された画像データを記録メディア１４０に記録させる。
【００２９】
以上が自動撮影モードのときの撮影データの流れである。
【００３０】
以降、モードダイヤル１０７が手動撮影モード１０７１に切り替えられたときの画像データの処理を説明する。
【００３１】
モードダイヤル１０７が手動撮影モード（Ｍ）に切り替えられたら、撮影者により撮影条件が手動により設定され撮影が行なわれる。このデジタルカメラ１００においては撮影条件の一つであるフォーカスポイントも自在に設定することができるが、ここでは撮影条件の１つとして露出条件を挙げて以降説明する。
【００３２】
モードダイヤル１０７が手動撮影モード（Ｍ）１０７１に切り替えられたら、スルー画像とともに露出補正値、シャープネス、フラッシュ光量などの補正を行なうための表示画面がＬＣＤパネル上に表示される。この選択画面の中の選択項目例えば露出値１１段階の切り替えを十字キー１０４により行なえる。
【００３３】
このように手動撮影モードのときには、撮影者が任意に撮影条件の設定を行なえるようになっており、これらの撮影条件下で撮影が行なわれる。
【００３４】
このような手動撮影モードで撮影が行なわれるときには、その設定された撮影条件によって露光アンダーであろうが、露光オーバであろうがそのまま撮影が行なわれる。例えば、この露光アンダー、露光オーバーは、ＡＥ＆ＡＷＢ部１３１の検出結果に基づきＣＰＵ１１１が判定するもので、このＣＰＵ１１１にその判定を行なわせるプログラムがＲＯＭ１１１０内にある。この露光アンダー、露光オーバーなどを判定するプログラムが本発明にいう撮影良否判定部に当たる。
【００３５】
また、ＲＯＭ１１１０内には、撮影良否判定部による、今回の撮影が不適正な撮影条件下で行なわれた旨の判定を受けて、不適正な撮影条件下で撮影が行なわれた旨警告する不良撮影警告部もＲＯＭ内にプログラムとして記述されており、さらに、今回の撮影が行なわれた判定を受けて、次の撮影操作に応じて、不適正な撮影条件のうちの少なくとも一つの撮影条件が適正な撮影条件に変更された撮影条件下で撮影が行なわれるように、その少なくとも１つの撮影条件を変更する撮影条件変更部も同じくＲＯＭ内にプログラムとして記述されている。
【００３６】
図３はプログラムが格納されているＲＯＭのメモリアロケーションを示す図である。
【００３７】
図３に示すように、手動撮影モード（Ｍ）の中に、本発明にいう撮影良否判定部１１１３、不良撮影警告部１１１４、撮影条件変更部１１１５のほか、表示制御部１１１１、記録制御部１１１２がそれぞれ格納されている。これらはすべて処理手順を示すプログラムとして記述されている。また再生モードの中には画像再生部１１１６、本発明にいう画像表示部１１１７などの処理手順がプログラムとして記述されており、この画像表示部１１１７の処理手順に基づいて画像データとともに警告がＬＣＤパネル１０６ａ上に表示される。
【００３８】
図４は手動撮影モード時の処理手順を示すフローチャートである。
【００３９】
ステップＳ４０１はユーザが行なうもので、ここではＣＰＵ１１１がＬＣＤパネル１０６ａに露出値、シャープネス、ホワイトバランス、ストロボ光量の補正値などを変更自在に表示することによって、ユーザである撮影者が十字キーを操作することでそれらの値を変更する。この表示は、図３の表示制御部の処理手順に基づいてＣＰＵ１１１が行なうもので、この表示を行なったときに撮影者により十字キーが操作され撮影条件が設定される。その撮影者により設定された撮影条件に応じてＣＰＵ１１１はシャッタスピード、絞りなどを設定する。次のステップＳ４０２で、ステップＳ４０１で設定した撮影条件下で撮影が行なわれたら、記録処理部１１１２の処理手順に基づいて記録メディアに画像データが画像ファイルとして記録される。次のステップＳ４０３で撮影良否判定部１１１３の処理手順に基づいてＣＰＵ１１１がその記録した画像データの撮影条件の良否を判定する。その判定を終了したら次のステップＳ４０４へ移行してその撮影条件の良否の判定結果を警告としてその警告を今回の撮影により得られた画像データに対応づけて不良撮影警告部の処理手順にしたがって記録メディアに記録する。ここでは今回の撮影により得られた画像データを有する画像ファイルのヘッダ内に警告を記録している。次のステップＳ４０５でその警告に基づき、記録した画像データの撮影条件のうち、少なくとも１つが適正撮影条件ではなかったかどうかを判定する。ここでは、露出設定、シャープネスの設定、ストロボ光量の設定などを撮影条件としてすべてが適正撮影条件であったかどうかを判定し、この判定ですべてが適正であったらステップＳ４０５でＮｏ側に進み、このフローの処理を終了する。ここで警告に基づき記録した画像データの撮影条件のうち、少なくとも１つに不適正な撮影条件があったと判定したらＹｅｓ側に進み、ステップＳ４０６で記録した画像データに基づく再生画像の表示を行なうとともに、不良撮影警告部１１１４の処理手順にしたがって警告の表示を行なって撮影者に対し警告を発する。
【００４０】
次のステップＳ４０７で撮影者が自動補正つまり撮影のやり直しを行なうかどうかを判定する。ここでＯＫボタン１０５ａが押されたら撮影のやり直しを行なうと判定し、Ｙｅｓ側に進みステップＳ４０８で撮影条件を最適値に変更して設定する。このステップの処理では、例えば露光アンダーであった場合にその露出値をＣＣＤに光量をもう少し多く与える側に対応する露出値に変更することなどが行なわれる。この最適値に変更する部分が本発明にいう撮影条件変更部に当たる。次のステップＳ４０９でレリーズ操作が行なわれ、撮影のやり直しが行なわれたら、そのやり直しを行なった画像データを記録メディア１４０に記録する。
【００４１】
ステップＳ４０７でバック釦１０５ｂが押されたらＣＰＵ１１１は撮影のやり直しを行なわないと判定し、Ｎｏ側に進み、念のため、もう一度補正を行なうか、行なわないかをステップＳ４１０で判定する。このステップＳ４１０でＯＫボタン１０５ａが押されてＹｅｓ側に進んだらステップＳ４０８で撮影条件を最適値に変更して設定し、ステップＳ４０９で撮影者が撮影のやり直しを行なったらこのフローの処理を終了する。ステップＳ４１０でバックボタン１０５ｂが押されてＮｏ側に進んだらこのフローの処理を終了する。
【００４２】
このフローのステップＳ４０５の処理がないと、ステップＳ４０６で必ず撮影条件が自動的に変更されてしまい、“露出がアンダーです”といった警告が常に発せられてしまう。夜間撮影などを行なう際には露出がアンダーになることを承知の上で撮影を行なう場合もあり、このような警告が発せられると、撮影者はそのときの処理に困ってしまう。そこで、このステップＳ４０５の処理を設け、変更された撮影条件下で撮影を行なうか、行なわないかをＯＫ釦、バック釦により素早く選択することができるようにしている。
【００４３】
このようにしておくと、撮影者が意図的に適正撮影条件に合わない撮影条件を設定して撮影を行なう場合にはそのまま撮影を行なわせ、また撮影者が意図しないで誤った撮影条件を設定してしまったときには撮影のやり直しを行なわせることができる。つまり失敗撮影であるかどうかを撮影者の判定に委ね、失敗撮影においては撮影のやり直しを行なうことで、またはその撮影データを撮影後に消去することで失敗をなかったものとすることができる。
【００４４】
図５は再生の処理手順を示すフローチャートである。
【００４５】
撮影者が再生モードに切り替えられたらステップＳ５０１でＣＰＵ１１１は再生モードの画像再生部１１１６および画像表示部１１１７の処理手順にしたがって記録メディア１４０に記録された画像ファイルの中の既撮影画像データに基づく再生画像の表示をＬＣＤパネル上に行なう。次のステップＳ５０２で記録メディアに記録された警告の読み込みを行い、次のステップＳ５０３でその警告に基づいて適正撮影条件であるかどうかの判定を行なう。このステップＳ５０３で適正撮影条件であると判定したらＮｏ側に進み、このフローの処理を終了する。
【００４６】
またステップＳ５０３で、警告に基づき不適正な撮影条件であって適正な撮影条件ではないと判定したら、Ｙｅｓ側に進み、ステップＳ５０４で表示制御部１１１７の処理手順に従い、再生画像に加えて警告の表示をＬＣＤパネル上に行なう。さらに、ステップＳ５０５に移行して“消去しますか？”というメッセージも表示してＣＰＵ１１１は撮影者のＯＫ釦１０５ａあるいはバック釦１０５ｂの操作を待つ。ここで、撮影者によりＯＫ釦１０５ａが押されたら、ＯＫ側に進みステップＳ５０６で画像消去を行い、バック釦１０５ｂが押されたら、キャンセル側に進み、このフローの処理を終了する。
【００４７】
以上説明したように、再生画像とともに表示された警告を見て、撮影者がその撮影を失敗とするか、残しておくかの選択を行なえる。また、撮影後に画像データの消去を行なえるため、撮影者はシャッタチャンスを逃すことなく、撮影の失敗を気にせず、積極的に手動での撮影を行なえる。
【００４８】
なお、本実施形態では撮影装置の一例としてデジタルカメラを取り上げたが、カメラ付き携帯電話機などに用いられる撮影装置にも適用可能である。
【図面の簡単な説明】
【００４９】
【図１】本発明の実施形態である撮影装置の一つにあたるデジタルカメラの外観図である。
【図２】図１のデジタルカメラの内部構成を示す図である。
【図３】ＲＯＭのメモリアロケーションを示す図である。
【図４】手動撮影モードのときのＣＰＵの処理手順を示すフローチャートである。
【図５】再生モードのときのＣＰＵの処理手順を示すフローチャートである。
【符号の説明】
【００５０】
１００    デジタルカメラ（撮影装置）
１０１    撮影レンズ
１０２    パワースイッチ
１０３    撮影・再生切替レバー
１０４    十字キー
１０５ａ  ＯＫ釦（メニュー釦）
１０５ｂ  バック釦
１０６    ＬＣＤ
１０６ａ    ＬＣＤパネル
１０７    モードダイヤル
１０８    レリーズ釦
１０９    ポップアップスイッチ
１１０    ＣＣＤ
１１１    ＣＰＵ
１１１０    ＲＯＭ
１１１１    表示制御部
１１１２    記録制御部
１１１３    撮影良否判定部
１１１４    不良撮影警告部
１１１５    撮影条件変更部
１１１６    画像再生部
１１１７    画像表示部
１１２    タイミングジェネレータ
１２３    ＶＲＡＭ
１２４    圧縮処理部
１２５    ビデオエンコーダ
１２７    メディアコントローラ
１４０    記録メディア
【図１】
2005109607.tif 000003
【図２】
2005109607.tif 000004
【図３】
2005109607.tif 000005
【図４】
2005109607.tif 000006
【図５】
2005109607.tif 000007